(57)【要約】【課題】錆びにくく、しかも釣竿に釣竿用リールを簡単にしっかりと固定することができる軽量の釣竿用リールシートを提供する。【解決手段】釣竿用リールシート１を、チタン合金を素材として形成した細長いプレート状のシート本体７と、シート本体７の長さ方向一方側に設けた固定フード部９と、シート本体７の長さ方向他方側に設けた可動フード機構１１と、から構成し、可動フード機構１１を、シート本体７に形成した一対のレール４３、４３を有する案内部４５と、レール４３と摺動してスライド移動できるように案内部４５に取り付けた、ステンレスを素材として形成した可動フード４７と、から構成する。【選択図】  図１
2004283123.tif 000002
【特許請求の範囲】
【請求項１】
釣竿の外周に固定されて取り付けられる金属製のシート本体と、釣竿用リールの一方側の脚部を収容するように、前記シート本体に設けられた固定フード部と、釣竿用リールの他方側の脚部を収容するように、前記固定フード部と対向して前記シート本体にスライド可能に取り付けられた金属製の可動フードと、を備えた釣竿用リールシートであって、
前記シート本体はチタン製であり、前記可動フードはステンレス製である、ことを特徴とする釣竿用リールシート。
【請求項２】
前記可動フードには、前記可動フードを前記シート本体に固定するための金属製の固定用レバーが回転可能に取り付けられていて、この固定用レバーはチタン製である、ことを特徴とする請求項１記載の釣竿用リールシート。
【請求項３】
前記可動フードと前記固定用レバーとの間には、プレート片状の金属製の固定用爪部材が配置され、前記固定用レバーが固定方向に回転操作されると、前記固定用レバーに押されて前記固定用爪部材が前記シート本体に係合し、前記可動フードが前記シート本体に固定されるように構成されていて、
前記固定用爪部材はステンレス製である、ことを特徴とする請求項２記載の釣竿用リールシート。
【請求項４】
前記可動フードは、固定方向に回転している前記固定用レバーを介して、前記シート本体に係合する前記固定用爪部材から前進方向の反力を受けることにより、前記固定用爪部材と摺動しながら前方に押し出されるように構成されていて、
前記固定用爪部材の前記可動フードとの摺動面には、この摺動面と反対側から凹部が形成されることにより、断面円弧状の摺動凸部が設けられている、ことを特徴とする請求項３記載の釣竿用リールシート。
【請求項５】
前記固定フード部は、前記シート本体に設けられた当接部の当接面に当接して前記シート本体に取り付けられた金属製の固定フードを有し、
前記当接面は、前記シート本体の幅方向一方の側部から、表面側を通過して幅方向他方の側部に至り、前記可動フードと対向するように形成され、
前記固定フードは、幅方向両側部が前記シート本体の幅方向一方の側部及び他方の側部と接触又はきわめて接近し、前記可動フードと反対側端が全体的に又はほぼ全体的に前記当接面に当接するように、前記シート本体に取り付けられていて、
前記シート本体の幅方向一方の側部及び他方の側部の前記当接面との接続個所は、幅方向内側に向って凹んでいる、ことを特徴とする請求項１、２、３又は４記載の釣竿用リールシート。
【請求項６】
前記固定フードはチタン製である、ことを特徴とする請求項５記載の釣竿用リールシート。
【発明の詳細な説明】
【０００１】
【発明の属する技術分野】
本発明は、釣竿の外周に取り付けられて釣竿用リールの脚部を固定する釣竿用リールシートに関する。
【０００２】
【従来の技術】
釣竿用リールを釣竿に取り付けるための釣竿用リールシートは、一般的に、釣竿の外周に固定されて取り付けられるシート本体に固定フード部を設けておき、この固定フード部と対向するようにシート本体に可動フードを取り付けて構成されている。このような釣竿用リールシートでは、釣竿用リールの一方側の脚部を固定フード部内に挿入し、可動フードをシート本体に沿ってスライドさせて釣竿用リールの他方側の脚部に被せ、釣竿用リールの脚部をシート本体上に載せた状態で固定フード部と可動フードとで長さ方向両側から挟んで釣竿用リールを釣竿に固定している。
【０００３】
釣竿用リールの脚部をしっかりとシート本体上に固定することができるように、釣竿用リールシートは剛性の大きい金属製の部材を主体として構成される。すなわち、例えば、シート本体、固定フード部及び可動フードはそれぞれ、金属材料で、あるいは金属部材を主体的に含んで形成されている。そして、釣竿用リールシートに用いられる金属材料には、軽く、かつ錆びにくいチタンが適している（例えば特許文献１参照）。
【０００４】
【特許文献１】
特許第３１７４５１０号公報（第２頁、図２）
【０００５】
【発明が解決しようとする課題】
しかしながら、チタン製部材同士間では摺動性が劣るため、釣竿用リールシート全体がチタン製部材を主体として構成されていると、釣竿用リールシートの可動部分の操作性が低下してしまう。特に、可動フードのシート本体に対するスライド性が低下すると、可動フードを釣竿用リールの脚部にきつく被せることが困難となり、釣竿用リールをガタのない状態で釣竿に取り付けることができなくなってしまう。そして、釣竿用リールがしっかりと釣竿に固定されていない場合には、釣竿用リールの巻き取り操作に支障が生じるし、釣竿用リールに例えば親指をかけて釣竿を支持しながら竿先操作を行うと、竿先の操作ミスが生じるおそれが大きい。
【０００６】
そこで本発明は、錆びにくく、しかも釣竿に釣竿用リールを簡単にしっかりと固定することができる軽量の釣竿用リールシートの提供を目的とする。
【０００７】
【課題を解決するための手段】
この目的を達成するための本発明の釣竿用リールシートは、釣竿の外周に固定されて取り付けられる金属製のシート本体と、釣竿用リールの一方側の脚部を収容するように、前記シート本体に設けられた固定フード部と、釣竿用リールの他方側の脚部を収容するように、前記固定フード部と対向して前記シート本体にスライド可能に取り付けられた金属製の可動フードと、を備えた釣竿用リールシートであって、前記シート本体はチタン製であり、前記可動フードはステンレス製であるといったものである。シート本体はチタン製であるため軽量である。可動フードはステンレス製であるため、シート本体との間に良好なスライド性又は摺動性が確保される。シート本体は錆びにくく、シート本体及び可動フードの両方に早期に錆が生じて可動フードのスライド性が大幅に悪化するといったことはない。固定フード部はチタン製であることが好ましい。
【０００８】
可動フードはシート本体に対してスライド可能であるとともに、釣竿用リールの脚部に被さった状態で、あるいは、釣竿用リールの脚部を収容した状態でシート本体に固定（例えば、開放方向に移動できない状態）できるように構成されている必要がある。可動フードの固定手段としては、可動フードに回転可能に取り付けられた金属製の固定用レバー、例えば固定用カバーを有するものを用いることができる。そして、固定用レバーを固定方向、例えば可動フードに被さる方向に回転させることにより、係合手段又は係合部材がシート本体に係合して可動フードがシート本体に固定されるといったように構成できる。固定用レバーが解除状態、例えばシート本体又は可動フードに対してたち上がった状態では係合手段又は係合部材はシート本体に対して非係合状態となっている。固定用レバーは、軽量性及び防錆性を確保できるようにチタン製であることが好ましい。固定用レバーをチタン製としても、可動フードはステンレス製であるため、可動フードとの間の回転円滑性は阻害されない。
【０００９】
係合手段又は係合部材としては、プレート片状又は板バネ状の金属製の固定用爪部材を用いることができる。固定用爪部材は、例えば可動フードと固定用レバーとの間に配置され、固定用レバーが固定方向に回転操作されると、固定用レバーに押されて固定用爪部材がシート本体に係合し、可動フードがシート本体に固定されるといったように構成できる。固定用爪部材は通常、先端側が可動フードに支持されていて、固定方向に回転する固定用レバーに後側が押圧されると、後端部がシート本体と係合するように構成される。可動フードのシート本体への固定は、例えば、固定用レバーの固定方向への回転によって押圧された固定用爪部材の後部が、その後端においてシート本体と係合するとともに、固定用レバーの開放方向、すなわち釣竿用リールの脚部から離れる方向への移動を阻止し、かつ、移動を阻止された固定用レバーが可動フードとの係合により可動フードの開放方向への移動を阻止することによって確保される。いいかえると、固定用レバーの開放方向への移動が固定用爪部材によって阻止され、可動フードの開放方向への移動が固定用レバーによって阻止されることにより確保される。ここでは、固定用レバーが、固定用爪部材を押すときに、この固定用爪部材上を摺動するように構成される場合がある。したがって、固定用レバーと固定用爪部材との間の摺動抵抗が大きくなって、固定用レバーを回転させにくくなるといったことを防止するために、固定用爪部材はステンレス製であることが好ましい。
【００１０】
釣竿用リールをガタのない状態で釣竿用リールシートに取り付けるためには、可動フードを釣竿用リールの脚部に例えば押し付けた状態でシート本体に固定する必要がある。しかしながら、固定用レバーを回転操作するときに、可動フードの釣竿用リールの脚部に対する押し付けがゆるんでしまいがちである。そこで、可動フードが、固定方向に回転している固定用レバーを介して、シート本体に係合する固定用爪部材から前進方向の反力を受けることにより、前方に押し出されるように構成しておくことが効果的である。ところで、可動フードが前方に押し出されるときには、可動フードと、この可動フードに支持されている固定用爪部材の先端側とが摺動する。固定用爪部材の先端側の支持構造は、可動フードに支持面を形成するとともに、固定用爪部材の支持片（被支持片：例えば固定用爪部材の先端側の幅方向両側に突出形成された一対の支持片）をこの支持面上で支えるといった場合が多く、ここでは、可動フードが前方に押し出されるときには、可動フードの支持面と、固定用爪部材の支持片とが摺動することとなる。したがって、釣竿用リールの取り付け操作が繰り返されると、固定用爪部材の支持片の先端縁や後端縁に擦られて可動フードの支持面が削られ、その結果、可動フードと固定用爪部材との摺動性が低下する。そこで、このような事態の発生を防止するために、固定用爪部材の可動フードとの摺動面、例えば固定用爪部材の支持片の摺動面あるいは裏面には、この摺動面と反対側から凹部を形成して、断面円弧状、例えば外面が断面円弧状の摺動凸部を設けておくことが得策である。断面円弧状の摺動凸部は、固定用爪部材と可動フードとの間の円滑な摺動が確保されるように形成される。反対側から凹部を形成することにより、摺動面に断面円弧状の摺動凸部を簡単に設けることができる。摺動凸部は、摺動方向と直交するように延びる凸条とすることができる。
【００１１】
固定フード部は、シート本体に設けられている当接部の、可動フードと対向又は長さ方向に対向する当接面に当接してシート本体に取り付けられた金属製の、例えばチタン製の固定フードを有するように構成できる。固定フードの取り付け安定性を高めるためには、当接面を、シート本体（当接面に接続形成されているシート本体部分）の幅方向一方の側部から、表面側を通過して幅方向他方の側部に至るように形成し、固定フードを、幅方向両側部がシート本体の幅方向一方の側部及び他方の側部と接触又はきわめて接近し、可動フードと反対側端、すなわち反受入側端（例えば幅方向両側部及び天井部の反受入側端）が全体的に又はほぼ全体的に当接面に当接するように、シート本体に取り付けることが好ましい。この場合に、シート本体の幅方向一方の側部及び他方の側部を、当接面に至るまで直線状に形成すると、シート本体の幅方向一方の側部及び他方の側部と当接面との接続個所（境界個所）に形成されるアール部分に邪魔されて、固定フードが当接面に全体的には当接又は接触しなくなるおそれがある。したがって、シート本体の幅方向一方の側部及び他方の側部の当接面との接続個所（境界個所）を内側又は幅方向内側に向って凹ませておくことが効果的である。
【００１２】
本発明で用いられるチタンは、チタン合金又はチタンを主成分とする金属材料を含むものである。
【００１３】
【発明の実施の形態】
以下、本発明の実施の形態を図面を参照して説明する。
【００１４】
図１は本発明に係る釣竿用リールシートの斜視図、図２は釣竿用リールシートの分解斜視図、図３はシート本体に固定フードを装着する場合を説明する図、図４はシート本体に可動フードを装着する場合を説明する図、図５は釣竿用リールシートに釣竿用リールを固定して取り付けた状態の斜視図である。
【００１５】
釣竿用リールシート１は、長さ方向一端部及び長さ方向他端部にそれぞれ、糸巻き固定部３、５が設けられた細長いプレート状のシート本体７を具備し、シート本体７の一方側糸巻き固定部３の長さ方向他方側に固定フード部９を有し、他方側糸巻き固定部５の長さ方向一方側に可動フード機構１１を備えていて、シート本体７を釣竿１３に載せ、一方側糸巻き固定部３及び他方側糸巻き固定部５を、固定用糸、例えばナイロン糸１５で釣竿１３に縛り付け、縛り付け部分を接着剤で固めることにより、釣竿１３に固定されて取り付けられる。シート本体７の、固定フード部９と可動フード機構１１との間の部分は、細幅の導入ガイド部１７として形成され、このような構成のシート本体７はチタン合金又はチタンを主成分とする金属材料を素材として一体的に形成されている。なお、釣竿用リールシート１を釣竿１３に取り付けるにあたっては、シート本体７の裏面にゴムシート１８、２０を取り付けておく。
【００１６】
固定フード部９は、シート本体７に設けられた、幅方向一方の側部１９及び他方の側部２１が折り曲げ形成されている取り付けプレート部２３（取り付けプレート部２３はシート本体７の一部）と、シート本体７の取り付けプレート部２３及び一方側糸巻き固定部３の間に一体的に形成された当接部２５（当接部２５はシート本体７の一部）と、長さ方向一端（可動フード機構１１と反対側端）が当接部２５に当接した状態で取り付けプレート部２３に取り付けられているアーチ状の固定フード２７と、を備えていて、固定フード２７はチタン合金又はチタンを主成分とする金属材料を素材として一体的に形成されている。
【００１７】
固定フード２７の幅方向両側部２９、２９は、互いに平行に、かつ取り付けプレート部２３の幅とほぼ等しい間隔を有するように形成されていて、それぞれの側部２９の反天井側端部には内向き係合部３１が一体的に折り曲げ形成されて設けられている。当接部２５は、一方側糸巻き固定部３の長さ方向他端から、長さ方向他方側に向って漸次外側に広がるように形成され、この当接部２５の長さ方向他端面は取り付けプレート部２３の長さ方向一端と一体的に接続されていて、当接部２５の長さ方向他端面は、取り付けプレート部２３の幅方向一方の側部１９及び幅方向他方の側部２１よりも外側に突出し、かつ、取り付けプレート部２３の表面よりも外側に突出して当接面３３を構成している。取り付けプレート部２３の幅方向一方の側部１９及び他方の側部２１にはそれぞれ、当接面３３との接続個所に、幅方向内側に窪む又は凹む切欠状の凹部３５、３５が設けられている。それぞれの凹部３５の長さ方向一端は当接面３３上に位置している。
【００１８】
固定フード２７を取り付けプレート部２３に取り付けて又は装着して固定フード部９を構成するには、まず、固定フード２７をシート本体７の導入ガイド部１７に被せ、幅方向両側部２９、２９に設けられている内向き係合部３１、３１がそれぞれ、取り付けプレート部２３の幅方向の側部１９、２１の裏側に位置することとなる状態で、シート本体７に沿って当接部２５の当接面３３に当接するまで、例えばスライドさせて、移動させる。次に、樹脂製の挿入フード３７を固定フード２７内に挿入する。挿入フード３７は、長さ方向他方側に延びる嵌め付けプレート３９を一体的に有していて、当接部２５の当接面３３と、シート本体７の導入ガイド部１７よりも多少長さ方向他方側に形成されている段部との間に、挿入フード３７及び嵌め付けプレート３９が挟み込まれる状態で固定フード２７内に挿入配置される。固定フード２７は、挿入フード３７が挿入配置されると、長さ方向一端（幅方向両側部２９、２９及び天井部の長さ方向一端）が当接面３３に全体的に当接又は接触し、内向き係合部３１、３１が取り付けプレート部２３の幅方向の側部１９、２１と係合する状態に固定維持されることとなる。なお、図中４１は、固定フード２７の長さ方向他方側へのずれを防止するために、挿入フード３７の挿入開口部外周に形成された、外側に僅かに突出するストッパである。
【００１９】
可動フード機構１１は、シート本体７に形成又は構成された、幅方向両端部表面に一対のレール４３、４３が一体的に突出形成されている案内部４５と、この案内部４５に、レール４３、４３と摺動してスライド移動できるように取り付けられているアーチ状の可動フード４７と、を備えていて、可動フード４７はステンレスを素材として形成されている。なお、レール４３、４３の長さ方向一端は、挿入フード３７及び嵌め付けプレート３９を挟むための段部を形成している。
【００２０】
可動フード４７の幅方向両側部４９、４９は、互いに平行に、かつ案内部４５の幅とほぼ等しい間隔を有するように形成されていて、それぞれの側部４９の反天井側端部には内向き係合部５１が一体的に折り曲げ形成されて設けられている。可動フード４７は、長さ方向一方側の挿入部５３と、長さ方向他方側のカバー支持部５５と、挿入部５３及びカバー支持部５５の間に凹んで形成された爪支持部５７と、から一体的に構成されていて、挿入部５３の長さ方向他端壁から、爪支持部５７を通り、カバー支持部５５の天井部にかけては、同一幅の又は同一幅で延びる固定操作窓５９が設けられている。
【００２１】
可動フード４７には、固定操作窓５９を介して、固定用爪部材６１及び固定用カバー６３（固定用レバー）が取り付けられている。図６に示すように、固定用爪部材６１は、ステンレスを素材とした板バネ状に形成され、固定操作窓５９よりも若干狭い幅の先端側の支持部６５及び後側の変形部６７から一体的に構成されていて、支持部６５の後側には、側方に突出する一対の支持片６９、６９が一体的に形成されている。固定用爪部材６１には、一方の支持片６９から支持部６５を横切って他方の支持片６９まで延びる、すなわち幅方向に延びる凹条７１が表面側から形成されていて、この凹条７１の形成により、一方の支持片６９から支持部６５を横切って他方の支持片６９まで延びる、すなわち幅方向に延びる凸条７３が裏面側に設けられている（図７参照）。凸条７３は、断面円弧状あるいは半円状又はほぼ半円状の滑らかな外面形状を有している。凹条７１又は凸条７３の幅方向両端は、それぞれの支持片６９の幅方向外端の手前に位置している。変形部６７は、支持部６５側に谷部７５を有し、この谷部７５の後側に山部７７を備えるように屈曲形成されている。このような構成の固定用爪部材６１は、図７に示すように、支持部６５の先端側が、固定操作窓５９から挿入部５３内に入り込んで、可動フード４７又は挿入部５３内に嵌め付けられている樹脂製の挿入受け７９（可動フード４７とは別の部材）の天井部と接触して支持され、一対の支持片６９、６９が、固定操作窓５９の幅方向両側に形成されている、爪支持部５７の一対の支持面８１、８１上に支持され、かつ、変形部６７が固定操作窓５９からカバー支持部５５内に入り込むように、可動フード４７に配置される。
【００２２】
固定用カバー６３は、図６に示すように、可動フード４７（挿入部５３及び爪支持部５９）上に被さるように形成されたカバー本体８３と、このカバー本体８３の取り付け側に一体的に設けられた、幅方向外側に突出する一対の回転軸片８５、８５を有する回転中心部８７と、カバー本体８３と反対側でこの回転中心部８７に一体的に設けられた押圧片８９と、から構成されていて、図７に示すように、回転軸片８５、８５が、固定操作窓５９からカバー支持部５５内に入り込んで、カバー支持部５５の内面と接触し、押圧片８９が、固定用爪部材６１の支持部６５と変形部６７との境界位置に接触するように、可動フード４７又はカバー支持部５５に回転可能に取り付けられている。なお、図７に示す固定用カバー６３の解除状態では、固定用爪部材６１は、挿入受け７９と支持面８１とに挟まれたような状態で支持されているため、変形部６７はシート本体７から離れた位置に待機している。固定用カバー６３は、チタン合金又はチタンを主成分とする金属材料を素材として形成されている。
【００２３】
このような構成の可動フード４７は、案内部４５にスライド可能に取り付けられて又は装着されて可動フード機構１１を構成する。可動フード４７の取り付けは、挿入フード３７の嵌め付けに先立って、可動フード４７を導入ガイド部１７に被せ、幅方向の側部４９、４９に設けられている内向き係合部５１、５１がそれぞれ、案内部４５の両側部の裏側に位置することとなる状態で、シート本体７に沿って案内部４５にスライドさせて移動させることにより行われる。可動フード４７は、内向き係合部５１と挿入受け７９の幅方向端部とで案内部４５の側部及びレール４３を挟み付けた状態で、かつ、案内部４５の側面と摺動して、レール４３に沿って長さ方向にスライドし、移動できる。
【００２４】
釣竿用リールシート１に釣竿用リールを取り付ける場合には、釣竿用リールの一方の脚部９１を、固定フード２７内に配置されている挿入フード３７に挿入し、可動フード４７を案内部４５に沿ってスライドさせて釣竿用リールの他方の脚部９１にきつく被せる。そして、カバー本体８３を操作し、カバー本体８３が可動フード４７上に被さるように、固定用カバー６３を固定方向に回転させる（図７の矢印参照）。そうすると、固定用カバー６３の押圧片８９に押されて、固定用爪部材６１の変形部６７後端が、案内部４５のレール４３、４３間表面の後側半分に形成されている係合歯９３に係合し、可動フード４７はシート本体７に固定され、釣竿用リールの脚部９１、９１が釣竿用リールシート１に取り付けられることとなる。
【００２５】
図８は固定用カバー６３による固定用爪部材６１の押圧過程を示す図である。
【００２６】
解除状態のカバー本体８３を操作し、固定用カバー６３を固定方向に回転させると、固定用カバー６３の押圧片８９は、変形部６７の先端側上を谷部７５に向って摺動し、変形部６７を押圧してシート本体７側に変形させる。固定用カバー６３の押圧片８９が変形部６７の谷部７５（あるいは谷部７５近傍）に移動すると、変形部６７の後端が係合歯９３に強く係合して固定用爪部材６１はシート本体７に固定される（図８ａ）。そして、カバー本体８３を操作し、固定用カバー６３をさらに固定方向に回転させると（図８ａの矢印参照）、固定用カバー６３の押圧片８９は、変形部６７の後側上を山部７７に向って摺動する。変形部６７の後側の山部７７に向う部分は、径方向外側に傾斜して後方に延びているので、固定用カバー６３には前方に向いた成分を含んでいる反力が加わる。この反力は、固定用カバー６３の回転軸片８５、８５を介して可動フード４７又はカバー支持部５５に前進方向の反力として加わり、その結果、可動フード４７は、カバー本体８３が可動フード４７上に被さる直前に、前方に僅かに押し出される（図８ｂ：矢印参照）。可動フード４７が押し出されるときには、固定用爪部材６１はシート本体７に固定された状態なので、支持片６９、６９が、爪支持部５７の支持面８１、８１上を相対的に摺動するが、支持片６９、６９の支持面８１、８１と接触する部分は、裏面（摺動面）側に設けられた凸条７３であるため、摺動は滑らかに行われ、支持面８１が早期に磨耗するといったことはない。
【００２７】
そして、カバー本体８３が可動フード４７上に被さった固定状態では、固定用カバー６３の押圧片８９が、変形部６７の後側の山部７７に向う部分に当接し、固定用カバー６３の後方への移動が阻止されるので、可動フード４７も、固定用カバー６３の回転軸片８５にカバー支持部５５の内面が当接して後方に移動できないこととなる。
【００２８】
【発明の効果】
以上説明したように、本発明によれば、錆の発生による可動障害が生じるおそれが少なく、しかも、釣竿用リールの脚部を簡単にしっかりと固定できる軽量の釣竿用リールシートを提供できる。
【図面の簡単な説明】
【図１】本発明に係る釣竿用リールシートの斜視図である。
【図２】釣竿用リールシートの分解斜視図である。
【図３】シート本体に固定フードを装着する場合を説明する図である。
【図４】シート本体に可動フードを装着する場合を説明する図である。
【図５】釣竿用リールシートに釣竿用リールを固定して取り付けた状態の斜視図である。
【図６】固定用爪部材及び固定用カバーの拡大斜視図である。
【図７】可動フード機構の拡大断面図である。
【図８】固定用カバーによる固定用爪部材の押圧過程を示す図である。
【符号の簡単な説明】
１                          釣竿用リールシート
７                          シート本体
９                          固定フード部
１３                        釣竿
４７                        可動フード
９１                        釣竿用リールの脚部
【図１】
2004283123.tif 000003
【図２】
2004283123.tif 000004
【図３】
2004283123.tif 000005
【図４】
2004283123.tif 000006
【図５】
2004283123.tif 000007
【図６】
2004283123.tif 000008
【図７】
2004283123.tif 000009
【図８】
2004283123.tif 000010